(57)【特許請求の範囲】
【請求項１】
画像形成装置本体に供給する記録媒体を収容し、該画像形成装置本体に着脱可能な給紙トレイを有し、前記給紙トレイが収容する記録媒体のサイズを変更できるように標準形態と延長形態とに変更可能に構成されている、画像形成装置において、
前記画像形成装置本体に直接もしくは間接的にスライド可能に装着され、前記延長形態の前記給紙トレイの上部を覆う延長位置に移動可能なカバー部材と、
該カバー部材の移動を阻止する阻止位置と該カバー部材の移動を許容する許容位置との間を移動可能なストッパ部材とを有し、
該ストッパ部材は通常前記許容位置に保持され、前記給紙トレイの前記画像形成装置本体への装着時において前記給紙トレイが前記標準形態から前記延長形態に変更され、かつ、前記カバー部材が前記延長位置に移動されたとき、該ストッパ部材は前記許容位置から前記阻止位置へ移動され、前記給紙トレイを前記画像形成装置本体から引き出すことで、前記ストッパ部材が前記阻止位置から前記許容位置に戻り前記カバー部材の移動を自由に行うことができることを特徴とする画像形成装置。
【請求項２】
請求項１に記載の画像形成装置において、前記ストッパ部材が前記給紙トレイのトレイ本体に設けられており、該ストッパ部材は前記許容位置から前記阻止位置へ弾性体の押圧力もしくは自重で移動することを特徴とする画像形成装置。
【請求項３】
請求項１に記載の画像形成装置において、前記ストッパ部材が前記給紙トレイを覆う排紙トレイに設けられており、該ストッパ部材は前記許容位置から前記阻止位置へ自重で移動することを特徴とする画像形成装置。
【請求項４】
請求項１に記載の画像形成装置において、前記ストッパ部材が前記画像形成装置本体の前記給紙トレイに隣り合う側板に設けられており、該ストッパ部材は前記許容位置から前記阻止位置へ弾性体の押圧力で移動することを特徴とする画像形成装置。
【発明の詳細な説明】
【技術分野】
【０００１】
本発明は、収容する記録媒体のサイズを変更できるように標準形態と延長形態とに伸縮可能な給紙トレイを有する画像形成装置に関するものである。
【背景技術】
【０００２】
プリンタ、ファクシミリ、複写装置、プロッタ等の各種画像形成装置として用いられる画像形成装置において、給紙トレイから用紙等の記録媒体を装置内に供給することはよく知られている。この種の画像形成装置において、上述のようにトレイの一部を延長させて収容できる用紙サイズを拡張させる、例えばＡ４サイズの用紙を収容するトレイの一部を延長させてＡ３サイズの用紙を収容できる給紙トレイに変更できる給紙装置を設けることも公知である。
【０００３】
例えば、給紙トレイと、その上部側に画像が記録された用紙をストックするための排紙トレイを備えているインクジェット記録装置において、給紙トレイがＡ４サイズより大きいサイズに延長されると、その分給紙トレイは装置本体から突出することになり、給紙トレイとその上方にある排紙トレイとの間に開口部が生じる。その開口部をそのまま放置すると、ゴミ等が開口部から給紙トレイ上に侵入したり、印刷中にも拘らず開口から用紙を追加補充してしまうような誤った操作が行われるというおそれがあった。そこで、ゴミの侵入や印刷中の用紙補充を防止する目的で、その開口部を覆うためのカバー（以下、ダストカバーと記す。）を設けた記録装置が提案されている。
【０００４】
この種の記録装置としてはダストカバーが取り外し可能で給紙トレイ、排紙トレイから独立した部材であるものと、ダストカバーがスライドして開口部を塞ぐものとがあるが、操作性の面からスライド式のものが好まれている。
【０００５】
このスライド式のダストカバーにおいて、印刷中でも自由に伸縮操作が可能であるため、元の位置に戻す操作をしてしまうと、ダストカバーが機能せず開口部から塵、埃等のゴミが侵入したり、印刷中にも拘らず開口から用紙を追加補充してしまうような誤った操作が行われるというおそれがあった。
【０００６】
かかる不具合を解消することができる記録装置が特許文献１に記載されている。この特許文献１の装置では、給紙トレイの延長操作で自動的にダストカバーを延長することができ、給紙トレイの延長とダストカバーの延長が連動するので、給紙トレイ延長時にダストカバーだけ戻すことを防ぐことができる。
【０００７】
しかしながら、特許文献１の装置では給紙トレイ基礎部からの給紙トレイ延長部の引き出しで、少なくとも延長分程度の長さを有する昇降ラック部を上昇させる必要があり、装置が大掛かりで、部品点数も多くなってしまうという不具合があった。
【発明の概要】
【発明が解決しようとする課題】
【０００８】
本発明は、上記した従来の問題を解消し、延長したダストカバーを元の位置へ戻すことを、簡単で安価な構成で禁止することができる画像形成装置を提供することを目的としている。
【課題を解決するための手段】
【０００９】
上記目的を達成するため、本発明は、画像形成装置本体に供給する記録媒体を収容し、該画像形成装置本体に着脱可能な給紙トレイを有し、前記給紙トレイが収容する記録媒体のサイズを変更できるように標準形態と延長形態とに変更可能に構成されている、画像形成装置において、前記画像形成装置本体に直接もしくは間接的にスライド可能に装着され、前記延長形態の前記給紙トレイの上部を覆う延長位置に移動可能なカバー部材と、該カバー部材の移動を阻止する阻止位置と該カバー部材の移動を許容する許容位置との間を移動可能なストッパ部材とを有し、該ストッパ部材は通常前記許容位置に保持され、前記給紙トレイの前記画像形成装置本体への装着時において前記給紙トレイが前記標準形態から前記延長形態に変更され、かつ、前記カバー部材が前記延長位置に移動されたとき、該ストッパ部材は前記許容位置から前記阻止位置へ移動され、前記給紙トレイを前記画像形成装置本体から引き出すことで、前記ストッパ部材が前記阻止位置から前記許容位置に戻り前記カバー部材の移動を自由に行うことができることを特徴とする画像形成装置を提案する。
【００１０】
なお、本発明は、前記ストッパ部材が前記給紙トレイのトレイ本体に設けられており、該ストッパ部材は許容位置から阻止位置へ弾性体の押圧力もしくは自重で移動すると有利である。
【００１１】
さらに、本発明は、前記ストッパ部材が前記給紙トレイを覆う排紙トレイに設けられており、該ストッパ部材は許容位置から阻止位置へ自重で移動すると有利である。
さらにまた、本発明は、前記ストッパ部材が前記画像形成装置本体の前記給紙トレイに隣り合う側板に設けられており、該ストッパ部材は許容位置から阻止位置へ弾性体の押圧力で移動すると有利である。
【発明の効果】
【００１２】
本発明によれば、給紙トレイが標準形態から延長形態に変更され、かつ、カバー部材が延長位置に移動され、その延長形態の給紙トレイの上部を覆う延長位置にカバー部材を延長することにより、カバー部材の移動を阻止するストッパ部材がその移動を許容する許容位置から移動を禁止する阻止位置に移動するので、延長したカバー部材を元の位置へ戻すことを確実に禁止することができる。
【図面の簡単な説明】
【００１３】
【図１】本発明に係る画像形成装置の前方側から見た斜視説明図である。
【図２】同記録装置の機構部の概略を示す構成図である。
【図３】同機構部の要部平面説明図である。
【図４】本発明が適用される給紙トレイを示す斜視図である。
【図５】本発明の一実施形態を示し、（ａ）はダストカバーが引き出された状態、（ｂ）はダストカバーが収納されている状態の側面方向から見た説明図である。
【図６】図５のストッパ部材の具体例を示す正面方向から見た説明図である。
【図７】図６に示す実施形態の側面方向から見た説明図である。
【図８】本発明の別の実施形態を示す側面方向から見た説明図である。
【図９】本発明のさらに別の実施形態を示し、（ａ）は給紙トレイが外された状態のときのダストカバーの移動時、（ｂ）は給紙トレイが装着された状態のときのダストカバーの移動時形態を示す側面方向から見た説明図である。
【図１０】図９に示す実施形態の正面方向から見た説明図である。
【図１１】図９に示す実施形態の効果を説明する図である。
【図１２】本発明のさらにまた別の実施形態を示す側面方向から見た説明図である。
【図１３】図１２に示す実施形態の正面方向から見た説明図である。
【図１４】図１２に示す実施形態の平面方向から見た説明図である。
【発明を実施するための形態】
【００１４】
以下、本発明の実施の形態について添付図面を用いて説明する。
図1は、本発明に係る画像形成装置としてのインクジェット記録装置を前方側から見た斜視説明図である。
【００１５】
ここに示したインクジェット記録装置は、装置本体１と、該装置本体１に装着した記録媒体である用紙を装填するための給紙トレイ２０を備えた給紙装置２と、画像記録を終えた用紙をストックするための排紙トレイ３とを備えている。さらに、装置本体１の前面４にはその一端部側に前面４から前方側に突き出し、上面５よりも低くなったカートリッジ装填部６を有し、このカートリッジ装填部６の上面に操作キーや表示器などの操作部７を配置している。カートリッジ装填部６にはメインタンクであるイエロー（Ｙ）、シアン（Ｃ）、マゼンタ（Ｍ）、ブラック（Ｋ）の各インクカートリッジ１０Ｙ、シアン１０Ｃ、マゼンタ１０Ｍ、ブラック１０Ｋが着脱可能に装着されている。
【００１６】
装置本体１内には、図２及び図３に示すように、図示を省略している左右の側板に横架したガイド部材であるガイドロッド１１とステー１２とでキャリッジ１３を主走査方向に摺動自在に保持し、主走査モータ（不図示）によって図３で矢示方向に移動走査する。
【００１７】
キャリッジ１３には、２つのヘッド記録ヘッド１４、４つのサブタンク１５を備えた２ヘッド４タンクのヘッドが搭載され、４タンクにはイエロー（Ｙ）、シアン（Ｃ）、マゼンタ（Ｍ）、ブラック（Ｂｋ）の各色の記録用インクが貯留され、記録ヘッド１４は複数のインク吐出口を主走査方向と交叉する方向に配列し、インク滴吐出方向を下方に向けて装着している。
【００１８】
記録ヘッド１４を構成するインクジェット記録用ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなど記録用インクを吐出するためのエネルギー発生手段として備えたものなどを使用できる。
【００１９】
また、キャリッジ１３には、記録ヘッド１４に各色のインクを供給するための各色のサブタンク１５を搭載している。サブタンク１５には、記録用インク供給チューブを介して、インクカートリッジ装填部６に装填されたインクカートリッジ１０から記録用インクが供給されて補充される。
【００２０】
一方、給紙装置２は給紙トレイ２０を有し、さらに給紙トレイ２０に積載した用紙Ｐを１枚づつ分離給送する半月コロ（給紙コロ７１）、及び該給紙コロ７１に対向し、摩擦係数の大きな材質からなる分離パッド７２を備えており、この分離パッド７２は給紙コロ７１側に付勢されている。
【００２１】
この給紙装置２から給紙された用紙Ｐを記録ヘッド１４の下方側で搬送するための搬送部として、用紙Ｐを静電吸着して搬送するための搬送ベルト３１と、給紙装置２からガイド７３を介して送られる用紙Ｐを搬送ベルト３１との間で挟んで搬送するためのカウンタローラ３２と、略鉛直上方に送られる用紙Ｐを略９０°方向転換させて搬送ベルト３１上に倣わせるための搬送ガイド３３と、押さえ部材３４で搬送ベルト３１側に付勢された先端加圧コロ３５とが備えられ、また、搬送ベルト３１表面を帯電させるための帯電手段である帯電ローラ３６が備えられている。
【００２２】
搬送ベルト３１は、無端状ベルトであり、搬送ローラ３７とテンションローラ３８との間に張架されて、ベルト搬送方向に周回可能である。搬送ベルト３１の裏側には、記録ヘッド１４による印写領域に対応してガイド部材７７が配置されている。なお、記録ヘッド１４で記録された用紙Ｐを排紙するための排紙部として、搬送ベルト３１から用紙Ｐを分離するための分離爪５１と、排紙ローラ５２及び排紙コロ５３とが備えられており、排紙ローラ５２の下方に排紙トレイ３が配置されている。
【００２３】
装置本体１の背面部には、両面給紙ユニット６１が着脱自在に装着されている。両面給紙ユニット６１は、搬送ベルト３１の逆方向回転で戻される用紙Ｐを取り込んで反転させて再度カウンタローラ３２と搬送ベルト３１との間に給紙する。なお、両面給紙ユニット６１の上面には手差し給紙部６２が設けられている。
【００２４】
このインクジェット記録装置においては、給紙装置２から用紙Ｐが１枚ずつ分離給紙され、略鉛直上方に給紙された用紙Ｐは、ガイド２８で案内され、搬送ベルト３１とカウンタローラ３２との間に挟まれて搬送される。更に先端を搬送ガイド３３で案内されて先端加圧コロ３５で搬送ベルト３１に押し付けられ、略９０°搬送方向を転換される。
【００２５】
このとき、帯電ローラ３６によって搬送ベルト３７が帯電されており、用紙Ｐは、搬送ベルト３１に静電吸着されて搬送される。そこで、キャリッジ１３を移動させながら画像信号に応じて記録ヘッド１４を駆動することにより、停止している用紙Ｐにインク滴を吐出して１行分を記録し、用紙Ｐを所定量搬送後、次行の記録を行う。記録終了信号又は用紙Ｐの後端が記録領域に到達した信号を受けることにより、記録動作を終了して、用紙Ｐを排紙トレイ３に排紙する。
【００２６】
そして、サブタンク１５内の記録用インクの残量が少なくなってきたことが検知されると、インクカートリッジ１０から所要量の記録用インクがサブタンク１５に補給される。なお、ここでは、キャリッジが走査するシリアル型（シャトル型）インクジェット記録装置に適用した例で説明したが、ライン型ヘッドを備えたライン型インクジェット記録装置にも同様に適用することができる。
【００２７】
上記給紙装置２の給紙トレイ２０は、複数の異なるサイズの用紙を積載できるように、内部に設けた不図示のサイドフェンス及びエンドフェンスを載置する用紙サイズに合わせて調節することができる。この調整操作は給紙トレイ２０を装置本体１から引き出して行うことができる。さらに、本実施形態の給紙トレイ２０は予め定めたサイズよりも大きいサイズの用紙を載置できるような伸張機構を備えている。すなわち、給紙トレイ２０は図４に示すように、トレイ本体２１と該トレイ本体２１に対して引き出し可能な延長トレイ２２で構成され、所定サイズよりも大きいサイズの用紙の載置を可能にする伸張機能を備えている。この給紙トレイ２０伸張操作も、調整操作と同様に給紙トレイ２０を装置本体１から引き出してから行う。
【００２８】
ところで、給紙トレイ２０はその上面が排紙トレイ３で覆われていることで、トレイ内へのゴミ等の侵入を抑え、印字中の用紙の継ぎ足しを防止している。しかし、延長された給紙トレイ２０は図４に示すように、排紙トレイ３で覆い切ることができず、開口が形成されてしまう。そこで、排紙トレイ３にスライドして引き出して延長するカバー部材としてのダストカバー８０を設けている。
【００２９】
しかし、このダストカバー８０は延長した状態から元の位置に戻すことができると、上記したゴミ等の侵入や印字中の用紙の継ぎ足しをしてしまうことが防げないという問題があることは先に説明した。
【００３０】
そこで、本発明では引き出したダストカバー８０が給紙トレイ２０を装置本体１から外さない限り元の収納位置に戻せないストッパ部材を設けており、その詳しい説明をする。
【００３１】
図５（ａ）では、ストッパ部材１００が給紙トレイ２０のトレイ本体２１に上下動可能に設けられ、押圧バネ１０１によって上方へ押し上げられる弾性作用が付勢されている。給紙トレイ２０が延長されずにダストカバー８０が格納されているとき、図５（ｂ）から明らかなように、ストッパ部材１００の頭部は押圧バネ１０１の弾性力によってダストカバー８０の底面に当接された待機位置に位置している。そして、給紙トレイ２０が拡張されてダストカバー８０が図の左方へ引き出されて所定の延長位置に達すると、ダストカバー８０がストッパ部材１００から離れ、該ストッパ部材１００が押圧バネ１０１によって上方へ押し上げられたストップ位置に移動される。このストッパ部材１００がストップ位置に移動されれば、ダストカバー８０を元の位置に戻そうとしてもストッパ部材１００に当り、それ以上戻すことができなくなる。
【００３２】
かくして、延長部分を覆ったダストカバー８０が元に位置に戻されることを防止できるので、カバーを動かしたことによるゴミ等の侵入や印字中の用紙の継ぎ足しが防止される。なお、ストッパ部材１００は給紙トレイ２０の両側にそれぞれ設けられ、ダストカバー８０をバランスよく確実に停止させる。
【００３３】
図６は、図５のストッパ部材の具体例を示し、装置本体１の給紙トレイ２０が装着される両側面部１０３にストッパ部材１００を規制するガイド部１０４が設けられ、他方ストッパ部材１００の側面部に対向する面には規制軸１０２が設けられている。この規制軸１０２は、押圧バネ１０１による押し上げ力によってガイド部１０４に当接される。
【００３４】
図７は、図６で示した排紙トレイ３、ダストカバー８０、延長トレイ２２を引き出し時のストッパ部材１００の軌跡を示し、その際給紙トレイ２０の表示を省き、ストッパ部材１００と側面部１０３のガイド部１０４を表示している。なお、ここで示す構成は図６の左側面側であるが、かかる構成は左右対称に設けられている。
【００３５】
図７において、給紙トレイ２０に支持されているストッパ部材１００は、給紙トレイを図７の右方向へ移動させて装置本体１に装着すると、装置本体１の側面部１０３に設けたガイド部１０４の案内形状に沿って規制軸１０２を介して待機位置からストップ位置へ上昇する。なお、このストッパ部材１００の上昇はダストカバー８０が引き出されているときである。また、上記ガイド部１０４は側面部１０３と一体に形成しても良いし、別部品として側面部１０３に固定したものでも良い。
【００３６】
次に、逆の動作、すなわち装置本体１に装着されている給紙トレイ２０を図７で左方へ引き出すと、ストッパ部材１００はガイド部１０４に沿って下降する仕組みとなっている。したがって、ストッパ部材１００の上昇時、すなわち給紙トレイ２０を装置本体１に装着時はダストカバー８０を収納することができなくなり、給紙トレイ２０を引き出すと、すなわちストッパ部材１００の下降時は、ストッパ部材１００がストップ位置から待機位置に戻ってロックが解除され、ダストカバー８０の収納動作を自由に行うことができる仕組みとなっている。
【００３７】
図８は、図７のストッパ手段の変形例を示し、本例では側面部１０３のガイド部として規制軸１０２の上下面を規制するガイド溝１０６が形成され、給紙トレイ２０の着脱動作に伴い、ガイド溝１０６の上縁、下縁に沿ってストッパ部材１００が案内移動される。すなわち、給紙トレイ２０が右方へ移動する装着時にはガイド溝１０６の下縁の形状に規制されてストッパ部材１００が上昇し、給紙トレイ２０が左方へ移動する引き出し時にはガイド溝１０６の上縁の形状に規制されてストッパ部材１００を下降させることができる。その結果、ストッパ部材１００をスプリング等の弾性体で支持させなくとも、ストッパ部材１００をストップ位置と待機位置との間で移動させることが可能となり、部品点数を削減することができる。
【００３８】
図９は、本発明の別の実施形態を示す説明図で、本実施形態のストッパ部材２００は排紙トレイ３に支持されている。このストッパ部材２００の形状について説明すると、図９及び図１０に示すように、給紙トレイ２０の左右両側板に設けられ、その外側にはコの字状に形成された腕部２０１が設けられ、さらにその上面には薄い板状の庇部２０２が設けられている。このストッパ部材２００は、排紙トレイ３に形成された保持凹部３ａ内に上下移動可能に装着され、通常は図９（ａ）に示すようにダストカバー８０上に載置された保持凹部３ａの上部に位置しているが、降下した状態では図９（ｂ）に示すように、庇部２０２が保持凹部３ａの保持縁３ｂに当接する位置に移動するように構成されている。他方、給紙トレイ２０のトレイ本体２１には、上記ストッパ部材２００の設けた位置にコの字状腕部２０１と係合するコの字状の受け部２１ａが形成されている。なお、ストッパ部材２００とダストカバー８０の先端の互いに対向する面には給紙トレイ２０が取り出されている状態、ダストカバー８０の戻したとき、ストッパ部材２００のスムーズな上昇を促すテーパー形状２０３と８０ａが形成されている。
【００３９】
このように構成された画像形成装置は、給紙トレイ２０を取り出しダストカバー８０を引き出すと、ストッパ部材２００はダストカバー８０が離れることで、自重で図９（ｂ）に示す位置に降下する。そして、取り出した給紙トレイ２０の延長した後、装置本体１に再装着すると、トレイ本体２１の受け部２１ａが降下しているストッパ部材２００の腕部２０１と係合する。この状態でダストカバー８０を元の位置に戻そうとしてもその戻し方向先端がストッパ部材２００と当たり、このとき、テーパー形状２０３，８０ａでストッパ部材２００が上昇する方向の移動作用を受けても、腕部２０１が受け部２１ａに係合していることによりストッパ部材２００は上昇せず、ダストカバー８０の戻し操作を確実に阻止することができる。
【００４０】
かくして、本実施形態の画像形成装置はストッパ部材２００保持する弾性部材を使用することなく、延長部分を覆ったダストカバー８０が元に位置に戻されることを防止できるので、延長時にカバーを動かすことができないので、ゴミ等の侵入や印字中の用紙の継ぎ足しが確実に防止することができる。さらに、本実施形態ではダストカバー８０に設けたストッパ部材２００が給紙トレイ２０と係合するので、図１１に示すような排紙トレイ３とダストカバー８０が給紙トレイ２０から離れて上方への回動されることも防ぐことができる。
【００４１】
図１２は、本発明のさらに別の実施形態を示す説明図で、本実施形態のストッパ部材３００は装置本体１の側板１ａに支持されている。このストッパ部材３００の形状について説明すると、図１２及び図１３に示すように、軸線が水平の軸部３０１の一端に張り出し部３０２、他端にコの字状の係合凹部３０３がそれぞれ形成され、軸部３０１の軸線がほぼ水平になるように、張り出し部３０２側が装置本体１の両側板１ａにそれぞれ形成された保持凹部１ｂに遊嵌されている。この保持凹部１ｂに遊嵌されているストッパ部材３００は弾性手段としてのスプリング３０４によって常に内側に突出する移動力が付勢され、通常はダストカバー８０の側縁に当接して保持凹部１ｂ内に収まって位置しているが、ダストカバー８０が外れて内側に突出した状態では図１２に示すように、張り出し部３０２が保持凹部１ｂの保持縁１ｃに当接する位置に移動するように構成されている。他方、給紙トレイ２０のトレイ本体２１には、上記ストッパ部材３００の設けた位置にコの字状の係合凹部３０３と係合する係合凸部２１ｂが形成されている。なお、ストッパ部材３００とダストカバー８０の先端の互いに対向する面には図１４に示すように、給紙トレイ２０が取り出されている状態、ダストカバー８０の戻したとき、ストッパ部材３００がスプリング３０４の作用に抗して保持凹部１ｂに戻されるテーパー形状３０５と８０ｂが形成されている。
【００４２】
このように構成された画像形成装置は、給紙トレイ２０を取り出しダストカバー８０を引き出すと、ストッパ部材３００はダストカバー８０が離れることで、スプリング３０４の弾性力で図１３に示す内側の位置に移動する。そして、取り出した給紙トレイ２０の延長させた後、装置本体１に再装着すると、トレイの係合凸部２１ｂがストッパ部材３００の係合凹部３０３と係合する。この状態でダストカバー８０を元の位置に戻そうとしてもその戻し方向先端がストッパ部材３００と当たり、このとき、テーパー形状３０５と８０ｂでストッパ部材２００が保持凹部１ｂに戻ろうとしても、係合凸部２１ｂと係合凹部３０３が係合していることにより、ダストカバー８０の戻そう操作が阻止される。
【００４３】
なお、本発明に係る画像形成装置は、プリンタ単機能構成のものに限らず、プリンタ、ファクシミリ、複写機などの複合機能を有する画像形成装置であっても良く、したがってまた、本実施形態の給紙トレイもこれらの画像形成装置に適用するものである。
【符号の説明】
【００４４】
１  装置本体
２  給紙装置
３  排紙トレイ
２０  給紙トレイ
２１  トレイ本体
２２  延長トレイ
８０  ダストカバー
１００，２００，３００  ストッパ部材
【先行技術文献】
【特許文献】
【００４５】
【特許文献１】特開２００８−２５４８４８号公報
【図１】
0005581896.tif 000002
【図２】
0005581896.tif 000003
【図３】
0005581896.tif 000004
【図４】
0005581896.tif 000005
【図５】
0005581896.tif 000006
【図６】
0005581896.tif 000007
【図７】
0005581896.tif 000008
【図８】
0005581896.tif 000009
【図９】
0005581896.tif 000010
【図１０】
0005581896.tif 000011
【図１１】
0005581896.tif 000012
【図１２】
0005581896.tif 000013
【図１３】
0005581896.tif 000014
【図１４】
0005581896.tif 000015